(57)【要約】【課題】眩しさ等の悪影響を被検者に与えることなく被検眼の散乱特性を他覚的に測定する。【解決手段】実施形態の眼科検査装置は、投影光学系と、第１の検出部と、第２の検出部と、算出部とを備える。投影光学系は、被検眼の眼底にリング光を投影する。第１の検出部は、リング光の被検眼からの戻り光を検出する。第２の検出部は、戻り光の中心部分を検出する。算出部は、第１の検出部により検出された戻り光のリング状部分の少なくとも一部の強度と、第２の検出部により検出された中心部分の強度との比を算出する。【選択図】図２
2015150283.tif 000002
【特許請求の範囲】
【請求項１】
被検眼の眼底にリング光を投影する投影光学系と、
前記リング光の被検眼からの戻り光を検出する第１の検出部と、
前記戻り光の中心部分を検出する第２の検出部と、
前記第１の検出部により検出された前記戻り光のリング状部分の少なくとも一部の強度と、前記第２の検出部により検出された前記中心部分の強度との比を算出する算出部と
を備える眼科検査装置。
【請求項２】
前記第１の光検出部は、１次元的または２次元的に配列された受光素子群を備えた第１の光検出器を含み、
前記算出部は、前記受光素子群のうちあらかじめ決められた複数の受光素子からの出力信号を積分することにより、前記リング状部分の少なくとも一部の強度を求める
ことを特徴とする請求項１に記載の眼科検査装置。
【請求項３】
前記第２の検出部は、
前記戻り光の中心部分のみを通過させる絞りと、
前記絞りを通過した光を検出する第２の光検出器と
を含み、
前記算出部は、前記第２の光検出器からの出力信号に基づいて、前記中心部分の強度を求める
ことを特徴とする請求項１または請求項２に記載の眼科検査装置。
【請求項４】
前記第１の検出部および前記第２の検出部は、共通の光検出器によりそれぞれ前記戻り光の検出および前記中心部分の検出を行う
ことを特徴とする請求項１〜請求項３のいずれか一項に記載の眼科検査装置。
【請求項５】
前記共通の光検出器による前記戻り光の検出と前記中心部分の検出とを異なるタイミングで実行させる検出制御部をさらに備える
ことを特徴とする請求項４に記載の眼科検査装置。
【請求項６】
前記投影光学系は、
少なくとも可視光を含む光を出力する光源と、
リング状透光部を有する照明絞りと
を含み、
前記光源から出力されて前記リング状透光部を通過した光を前記リング光として眼底に投影する
ことを特徴とする請求項１〜請求項５のいずれか一項に記載の眼科検査装置。
【請求項７】
前記照明絞りは、前記リング状透光部のサイズを変更可能に構成されている
ことを特徴とする請求項６に記載の眼科検査装置。
【請求項８】
前記光源は、可視光および赤外光を含む連続光を出力し、
前記照明絞りの前記リング状透光部は可視光および赤外光を通過させ、かつ、前記リング状透光部以外の部分のうち少なくとも一部は赤外光のみを通過させ、
前記照明絞りを通過した光の被検眼からの戻り光の赤外成分を繰り返し検出する第３の光検出器と、
前記第３の光検出器からの出力信号に基づく眼底の動画像を表示手段に表示させる表示制御部と
をさらに備える
ことを特徴とする請求項６または請求項７に記載の眼科検査装置。
【請求項９】
前記算出部により算出された前記強度比に基づいて、被検眼の散乱特性を表す情報を求める第１の情報取得部をさらに備える
ことを特徴とする請求項１〜請求項８のいずれか一項に記載の眼科検査装置。
【請求項１０】
前記投影光学系により案内される光の強度を検知する光強度検知部と、
前記光強度検知部により検知された光の強度と、前記第１の検出部および／または前記第２の検出部による検出結果とに基づいて、被検眼の状態を表す情報および／または検査の状態を表す情報を求める第２の情報取得部と
をさらに備える
ことを特徴とする請求項１〜請求項９のいずれか一項に記載の眼科検査装置。
【発明の詳細な説明】
【技術分野】
【０００１】
この発明は、被検眼の光学特性を検査するための眼科検査装置に関する。
【背景技術】
【０００２】
被検眼の光学特性は「見え方」に影響を与える。たとえば、球面度数の異常は近視または遠視として現れ、円柱度数の異常は乱視として現れる。また、白内障等により混濁が生じると、散乱の影響により、グレア障害、コントラスト感度の低下といった問題が生じる。高齢化が進む現状において、グレア障害等への注目が高まりをみせている。
【０００３】
散乱が視機能に与える影響は、グレア検査やコントラスト視標を用いて自覚的に測定される（たとえば特許文献１を参照）。また、非特許文献１には、点滅するリング光を提示しつつ、このリング光の中心位置に位相変調を伴う光（中心光）を提示し、点滅が認識されないような位相変調量を求める自覚的な手法が開示されている。
【０００４】
一方、他覚的な手法としては非特許文献２に記載されたものが知られている。この手法では、ディスク状の光を眼底に投影し、そのサイズを変化させながら戻り光の中心領域の強度を逐次に検出することにより点像分布関数（ＰＳＦ）を求めている。
【先行技術文献】
【特許文献】
【０００５】
【特許文献１】特開平４−１２７３０号公報
【非特許文献】
【０００６】
【非特許文献１】Thomas J. T. P. van den Berg, et al., “Straylight in the human eye: testing objectivity and optical character of the psychophysical measurement”, Ophthalmic and physiological optics, 2009 29: 345-350
【非特許文献２】Harilaos Ginis, et al., “The wide-angle point spread function of the human eye reconstructed by a new optical method”, Journal of Vision, 2012 12(3): 20, 1-10
【発明の概要】
【発明が解決しようとする課題】
【０００７】
被検眼の診断を的確に行うためには自覚的な手法（主観的な見え方の把握）と他覚的な特性測定（見え方への客観的な影響の把握）の双方が重要である。特許文献１に開示された自覚的手法には手軽に行えるという利点はあるが、その確度や精度に疑問があるとの見方もある。また、非特許文献１に開示された自覚的手法は点滅光を利用しているため、光過敏性発作を引き起こす可能性があり、汎用性に乏しい。
【０００８】
また、非特許文献２に開示された他覚的手法では、特にディスク光のサイズが小さい状態において過度の眩しさにより不快感を与えるおそれがある。さらに、検出結果に対して画像処理を施す必要があるため、コンピュータのリソースに関する問題を生じる可能性がある。
【０００９】
この発明の目的は、従来のような悪影響を被検者に与えることなく被検眼の散乱特性を他覚的に測定することが可能な眼科検査装置を提供することにある。
【課題を解決するための手段】
【００１０】
上記目的を達成するために、請求項１に記載の発明は、被検眼の眼底にリング光を投影する投影光学系と、前記リング光の被検眼からの戻り光を検出する第１の検出部と、前記戻り光の中心部分を検出する第２の検出部と、前記第１の検出部により検出された前記戻り光のリング状部分の少なくとも一部の強度と、前記第２の検出部により検出された前記中心部分の強度との比を算出する算出部とを備える眼科検査装置である。
請求項２に記載の発明は、請求項１に記載の眼科検査装置であって、前記第１の光検出部は、１次元的または２次元的に配列された受光素子群を備えた第１の光検出器を含み、前記算出部は、前記受光素子群のうちあらかじめ決められた複数の受光素子からの出力信号を積分することにより、前記リング状部分の少なくとも一部の強度を求めることを特徴とする。
請求項３に記載の発明は、請求項１または請求項２に記載の眼科検査装置であって、前記第２の検出部は、前記戻り光の中心部分のみを通過させる絞りと、前記絞りを通過した光を検出する第２の光検出器とを含み、前記算出部は、前記第２の光検出器からの出力信号に基づいて、前記中心部分の強度を求めることを特徴とする。
請求項４に記載の発明は、請求項１〜請求項３のいずれか一項に記載の眼科検査装置であって、前記第１の検出部および前記第２の検出部は、共通の光検出器によりそれぞれ前記戻り光の検出および前記中心部分の検出を行うことを特徴とする。
請求項５に記載の発明は、請求項４に記載の眼科検査装置であって、前記共通の光検出器による前記戻り光の検出と前記中心部分の検出とを異なるタイミングで実行させる検出制御部をさらに備えることを特徴とする。
請求項６に記載の発明は、請求項１〜請求項５のいずれか一項に記載の眼科検査装置であって、前記投影光学系は、少なくとも可視光を含む光を出力する光源と、リング状透光部を有する照明絞りとを含み、前記光源から出力されて前記リング状透光部を通過した光を前記リング光として眼底に投影することを特徴とする。
請求項７に記載の発明は、請求項６に記載の眼科検査装置であって、前記照明絞りは、前記リング状透光部のサイズを変更可能に構成されていることを特徴とする。
請求項８に記載の発明は、請求項６または請求項７に記載の眼科検査装置であって、前記光源は、可視光および赤外光を含む連続光を出力し、前記照明絞りの前記リング状透光部は可視光および赤外光を通過させ、かつ、前記リング状透光部以外の部分のうち少なくとも一部は赤外光のみを通過させ、前記照明絞りを通過した光の被検眼からの戻り光の赤外成分を繰り返し検出する第３の光検出器と、前記第３の光検出器からの出力信号に基づく眼底の動画像を表示手段に表示させる表示制御部とをさらに備えることを特徴とする。
請求項９に記載の発明は、請求項１〜請求項８のいずれか一項に記載の眼科検査装置であって、前記算出部により算出された前記強度比に基づいて、被検眼の散乱特性を表す情報を求める第１の情報取得部をさらに備えることを特徴とする。
請求項１０に記載の発明は、請求項１〜請求項９のいずれか一項に記載の眼科検査装置であって、前記投影光学系により案内される光の強度を検知する光強度検知部と、前記光強度検知部により検知された光の強度と、前記第１の検出部および／または前記第２の検出部による検出結果とに基づいて、被検眼の状態を表す情報および／または検査の状態を表す情報を求める第２の情報取得部とをさらに備えることを特徴とする。
【発明の効果】
【００１１】
この発明に係る眼科検査装置によれば、従来のような悪影響を被検者に与えることなく被検眼の散乱特性を他覚的に測定することが可能である。
【図面の簡単な説明】
【００１２】
【図１】実施形態に係る眼科検査装置の光学系の構成の一例を表す概略図である。
【図２】実施形態に係る眼科検査装置の制御系の構成の一例を表す概略図である。
【図３】実施形態に係る眼科検査装置の光学系の構成の一例を表す概略図である。
【図４】実施形態に係る眼科検査装置の光学系の構成の一例を表す概略図である。
【図５Ａ】実施形態に係る眼科検査装置の作用を説明するための概略図である。
【図５Ｂ】実施形態に係る眼科検査装置の作用を説明するための概略図である。
【図６】実施形態に係る眼科検査装置の光学系の構成の一例を表す概略図である。
【図７】実施形態に係る眼科検査装置の制御系の構成の一例を表す概略図である。
【図８】実施形態に係る眼科検査装置の制御系の構成の一例を表す概略図である。
【発明を実施するための形態】
【００１３】
この発明に係る眼科検査装置の実施形態の一例を説明する。なお、以下の実施形態では、この発明に係る機能を眼底カメラに搭載した場合について特に詳しく説明するが、他の種別の眼科装置に当該機能を組み合わせた装置であっても、当該機能のみを備えた装置であってもよい。他の種別の装置は任意であってよく、その例示として、レフラクトメータ、ケラトメータ、光干渉断層計（ＯＣＴ）、スリットランプ顕微鏡などがある。
【００１４】
〈第１の実施形態〉
［構成］
実施形態に係る眼科検査装置の全体構成を図１および図２に示す。図１は眼科検査装置１の光学系の構成例を示す。図２は眼科検査装置の制御系の構成例を示す。
【００１５】
眼科検査装置１には、被検眼Ｅの眼底Ｅｆの表面形態を表す２次元画像（眼底像）を形成するための光学系が設けられている。眼底像には、観察画像や撮影画像などが含まれる。観察画像は、たとえば、近赤外光を用いて撮影された眼底Ｅｆの動画像である。撮影画像は、たとえば、フラッシュ光を用いて撮影された眼底Ｅｆの静止画像である。この静止画像としては、カラー画像、フルオレセイン蛍光画像、インドシアニングリーン蛍光画像、自発蛍光画像などがある。なお、蛍光画像は動画像であってもよい。さらに、眼科検査装置１は、被検眼Ｅの前眼部を撮影することも可能である。
【００１６】
眼科検査装置１には、従来の眼底カメラと同様に、被検者の顔を支持するための顎受けや額当てが設けられている（図示は省略する）。さらに、眼科検査装置１には、従来の眼底カメラと同様に、照明光学系１０と撮影光学系３０が設けられている。照明光学系１０は眼底Ｅｆに照明光を照射する。撮影光学系３０は、この照明光の眼底反射光を光検出器（イメージセンサ３７、４３、４６）に導く。
【００１７】
（光学系）
照明光学系１０の観察光源１１は、定常光（連続光）を出力可能な定常光源である。この定常光源は、フラッシュ光の出力も可能であってよい。観察光源１１としては、たとえば、白熱電球、ハロゲンランプ、白色発光ダイオード（ＬＥＤ）などが用いられる。観察光源１１から出力された光（観察照明光）は、曲面状の反射面を有する反射ミラー１２により反射され、集光レンズ１３を経由し、可視カットフィルタ１４を透過して近赤外光となる。さらに、観察照明光は、撮影光源１５の近傍にて一旦集束し、ミラー１６により反射され、リレーレンズ１７、１８、照明絞り１９およびリレーレンズ２０を経由する。そして、観察照明光は、孔開きミラー２１の周辺部（孔部の周囲の領域）にて反射され、対物レンズ２２を経由して被検眼Ｅに入射し、眼底Ｅｆを照明する。なお、照明絞り１９および光学フィルタ部２３については後述する。また、可視カットフィルタ１４は、光路から退避可能に構成されている。
【００１８】
観察照明光の眼底反射光は、対物レンズ２２により屈折され、孔開きミラー２１の中心領域に形成された孔部を通過し、ダイクロイックミラー５５を透過し、合焦レンズ３１を経由し、ダイクロイックミラー３２により反射される。さらに、この眼底反射光は、ダイクロイックミラー３３を透過し、ミラー３５により反射され、集光レンズ３６によりイメージセンサ３７の受光面に結像される。イメージセンサ３７は、所定の時間間隔で眼底反射光を検出し、電気信号（画像信号）を生成して出力する。なお、光学フィルタ部３４については後述する。
【００１９】
観察用のイメージセンサ３７は、たとえば、アナログの画像信号（映像信号）を出力するビデオカメラとして機能する。イメージセンサ３７は、光電変換機能を有する撮像素子である。イメージセンサ３７は、たとえば、ＣＣＤ（Ｃｈａｒｇｅ  Ｃｏｕｐｌｅｄ  Ｄｅｖｉｃｅ）イメージセンサや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサにより構成される。
【００２０】
ダイクロイックミラー３３は、イメージセンサ３７に向かう光路と、ＬＣＤ（Ｌｉｑｕｉｄ  Ｃｒｙｓｔａｌ  Ｄｉｓｐｌａｙ）３８から始まる光路とを合成する光学素子である。ダイクロイックミラー３３は、イメージセンサ３７に向かう赤外光を透過させ、かつ、ＬＣＤ３８から出力された可視光を反射する。ＬＣＤ３８は、固視標や視力測定用指標などの各種指標を表示する。固視標は被検眼Ｅを固視させるための指標であり、眼底Ｅｆの観察時や撮影時などに使用される。なお、ＬＣＤ３８に代えて、ＬＥＤ等を含んで構成される内部固視標を設けてもよい。
【００２１】
撮影光源１５は、フラッシュ光（ストロボ光、瞬間光などとも呼ばれる）を出力する。撮影光源１５は、定常光の出力も可能であってよい。撮影光源１５は、たとえばキセノンランプやＬＥＤにより構成される。撮影光源１５から出力された光（撮影照明光）は、観察照明光と同様の経路を通って眼底Ｅｆに照射される。この撮影照明光の眼底反射光は、観察照明光と同様の経路を通ってダイクロイックミラー３２に導かれる。
【００２２】
眼底反射光が赤外光の場合、眼底反射光はダイクロイックミラー３２により反射され、観察照明光と同様の経路を通ってイメージセンサ３７により検出される。他方、眼底反射光が可視光の場合、眼底反射光はダイクロイックミラー３２を透過する。
【００２３】
眼底撮影時には、ミラー４０は光路から退避されるか、或いは、全反射ミラーがミラー４０として用いられる。可視光からなる眼底反射光は、前者の場合には集光レンズ４５を介してイメージセンサ４６により検出され、後者の場合には集光レンズ４２を介してイメージセンサ４３により検出される。また、後述の散乱測定においては、ハーフミラーがミラー４０として用いられ、イメージセンサ４３および４６の双方が機能する。このハーフミラーの光分割比率は任意であってよい。なお、固定配置されたハーフミラーをミラー４０として用いることも可能であるが、各イメージセンサ４３および４６による検出光量が減少することになる。一方、検査種別に応じたミラー４０の切り替えに関する上記の要請を満足するように、１つ以上のミラーと、それ（それら）を駆動する機構とを設けることも可能である。なお、光学フィルタ部４１については後述する。
【００２４】
イメージセンサ４３および４６は、たとえば、ＣＣＤイメージセンサやＣＭＯＳイメージセンサにより構成される。なお、イメージセンサ４３は、このような２次元光検出器には限定されない。たとえば、単一の受光素子を含む光検出器（フォトダイオード等）、または１次元的に配列された受光素子群を含む１次元光検出器（光位置センサ（ＰＳＤ）、ＣＣＤラインセンサ、ＣＭＯＳラインセンサ等）を、（２次元）イメージセンサ４３の代わりに用いることができる。詳細は後述するが、イメージセンサ４３またはそれに代えて配置される光検出器は、散乱測定において、眼底Ｅｆに投影されたリング光の戻り光の中心部分を検出するために用いられる。この中心部分は、被検眼Ｅに起因する散乱光であり、非常に微弱である。よって、この中心部分を検出するための光検出器は高感度であることが望ましい。
【００２５】
また、イメージセンサ４６の代わりに１次元光検出器を用いることができる。なお、この実施形態に係る眼科検査装置１は、この発明に係る散乱測定機能に加えて眼底カメラとしての機能を有しており、上記のようにイメージセンサ３７は前眼部や眼底の赤外観察などに用いられる。さらに、眼底の可視撮影を行うために、２次元のイメージセンサ４３および／または４６が適用されることが望ましい。
【００２６】
光学フィルタ部２３、３４、４１について説明する。各光学フィルタ部２３、３４、４１には、各種用途の光学フィルタが設けられている。光学フィルタとしては、蛍光撮影用のもの、レッドフリー撮影用のものなどがある。蛍光撮影用の光学フィルタとしては、自発蛍光撮影（ＦＡＦ）用のもの、フルオレセイン蛍光撮影（ＦＡ）用のもの、インドシアニングリーン撮影（ＩＣＧ）用のものなどがある。一例として、各光学フィルタ部２３、３４、４１には複数の光学フィルタが設けられており、これら光学フィルタは後述の機構による駆動を受けて選択的に光路に配置される。また、全ての光学フィルタを光路から退避させることもできる。
【００２７】
なお、光学フィルタはこれらに限定されるものではなく、眼科分野での各種検査に用いられる任意の光学素子であってよい。たとえば、光学フィルタは、入射光束の一部を制限する光束制限素子（絞り）であってよい。ここで、散乱測定を行うために設けられる絞りについて説明する。散乱測定には、照明光学系１０の照明絞り１９と、撮影光学系３０の光学フィルタ部４１に設けられた絞りとが用いられる。
【００２８】
照明絞り１９の構成例を図３に示す。照明絞り１９は、リング状透光部１９ａを有する。照明絞り１９は、散乱測定において眼底Ｅｆにリング光を投影するために用いられる。リング状透光部１９ａのサイズは、たとえば視角７度に相当するリング光が眼底Ｅｆに投影されるように設計されている。なお、リング状透光部１９ａのサイズを変更できるように照明絞り１９が構成されていてもよい。また、照明絞り１９は、照明光学系１０の光軸に沿って移動可能に構成されている。照明絞り１９の移動は、撮影光学系３０のフォーカシング（つまり合焦レンズ３１の移動）と連係して実行される。
【００２９】
照明絞り１９の他の構成例を説明する。まず、リング状透光部１９ａは、可視光および赤外光を通過させるように構成される。さらに、照明絞り１９のリング状透光部１９ａ以外の部分１９ｂは、赤外光のみを通過させるように構成される。この構成によれば、可視光および赤外光を含む照明光を用いる場合に、ディスク状の赤外照明光と、その一部領域からなるリング状の可視照明光とを眼底Ｅｆに照射することができる。なお、部分１９ｂ全体が赤外光のみを通過させるように構成されている必要はなく、部分１９ｂの一部のみがそのように構成されていてもよい。たとえば、部分１９ｂのエッジ領域が赤外光も可視光も通過させないように構成されていてよい。
【００３０】
続いて、光学フィルタ部４１に設けられた絞りについて説明する。この絞りは、ミラー４０により反射された光の中心部分（つまり光軸の近傍部分）のみを通過させる。そのための構成例を図４に示す。図４に示す絞り４１ａは、小さな円板状の透光部４１ｂと、遮蔽部４１ｃとを有する。透光部４１ｂは絞り４１ａの中心位置に形成されている。絞り４１ａは、透光部４１ｂの中心が光軸に一致するように配置される。
【００３１】
眼科検査装置１には、従来の眼底カメラと同様にアライメント光学系５０とフォーカス光学系６０が設けられている。アライメント光学系５０は、被検眼Ｅに対する装置光学系の位置合わせを行うための指標を生成する。この指標をアライメント指標と呼ぶことがある。フォーカス光学系６０は、眼底Ｅｆに対するフォーカシングを行うための指標を生成する。この指標をスプリット指標と呼ぶことがある。
【００３２】
アライメント光学系５０のＬＥＤ５１から出力された光（アライメント光）は、絞り５２、５３およびリレーレンズ５４を経由してダイクロイックミラー５５により反射され、孔開きミラー２１の孔部を通過し、対物レンズ２２により被検眼Ｅの角膜に投影される。
【００３３】
アライメント光の角膜反射光は、観察照明光の眼底反射光と同様の光路を経由してイメージセンサ３７の受光面に投影される。イメージセンサ３７による受光像（アライメント指標像）は、観察画像とともに表示される。ユーザは、従来の眼底カメラと同様の操作を行ってアライメントを実施する。或いは、アライメント指標像の位置を解析して光学系を移動させることにより自動的にアライメントを行うようにしてもよい。
【００３４】
フォーカス調整を行う際には、照明光学系１０の光路に反射棒６７の反射面が斜設される。フォーカス光学系６０のＬＥＤ６１から出力された光（フォーカス光）は、リレーレンズ６２を通過し、スプリット指標板６３により二つの光束に分離され、二孔絞り６４を通過し、ミラー６５に反射され、集光レンズ６６により反射棒６７の反射面に一旦結像されて反射される。さらに、フォーカス光は、リレーレンズ２０を経由し、孔開きミラー２１に反射され、対物レンズ２２により眼底Ｅｆに結像される。
【００３５】
フォーカス光の眼底反射光は、アライメント光の角膜反射光と同様の経路を通ってイメージセンサ３７により検出される。イメージセンサ３７による受光像（スプリット指標像）は、観察画像とともに表示される。眼科検査装置１は、従来と同様に、スプリット指標像の位置を解析して合焦レンズ３１等を移動させることによりフォーカシングを行う。或いは、スプリット指標像を視認しつつ手動でフォーカシングを行うようにしてもよい。
【００３６】
（制御系）
眼科検査装置１の制御系の構成例について図２を参照しつつ説明する。
【００３７】
眼科検査装置１の制御系は、制御部１００と、データ処理部２００と、ユーザインターフェイス３００とを含む。制御部１００は、各種の制御処理および演算処理を実行する。データ処理部２００は、各種のデータ処理を実行する。ユーザインターフェイス３００は、眼科検査装置１とユーザとの間の情報のやりとりに用いられる。
【００３８】
（制御部１００）
制御部１００は、主制御部１１０と、表示制御部１２０と、記憶部１５０とを含む。
【００３９】
（主制御部１１０）
主制御部１１０は、眼科検査装置１の各部の制御を行う。主制御部１１０による制御の対象には、観察光源１１と、可視カットフィルタ１４と、撮影光源１５と、照明絞り１９と、フィルタ駆動部２３Ａ、３４Ａおよび４１と、合焦レンズ３１と、イメージセンサ３７、４３および４６と、ＬＣＤ３８と、アライメント光学系５０と、フォーカス光学系６０と、データ処理部２００と、ユーザインターフェイス３００とを含む。
【００４０】
なお、図２には、これら制御対象のうちこの実施形態において特に利用されるものが示されている。具体的には、主制御部１１０は、観察光源１１の動作制御と、撮影光源１５の動作制御とを行う。また、主制御部１１０は、照明絞り駆動部１９Ａを制御することにより、図３に示すような照明絞り１９を光軸方向に移動させる。この移動制御は、フォーカス駆動部３１Ａを介した合焦レンズ３１の移動制御と連係して実行される。また、主制御部１１０は、フィルタ駆動部２３Ａを制御することにより、光学フィルタ部２３に設けられた複数の光学フィルタを選択的に光路に配置させる（全ての光学フィルタを光路から退避させる場合も含まれる）。フィルタ駆動部３４Ａを介した光学フィルタ部３４の制御、および、フィルタ駆動部４１Ａを介した光学フィルタ部４１の制御についても同様に実行される。なお、光学フィルタ部４１には、図４に示すような絞り４１ａが設けられている。
【００４１】
（表示制御部１２０）
表示制御部１２０は、各種の情報、特にデータ処理部２００により取得された情報を表示部３１０に表示させる。なお、表示制御部１２０は、主制御部１１０に含まれていてよい。
【００４２】
（記憶部１５０）
記憶部１５０には各種の情報が記憶される。たとえば記憶部１５０には、主制御部１１０に所定の処理を実行させるためのコンピュータプログラムおよびデータが記憶されている。また、記憶部１５０には、被検眼Ｅの検査において取得された情報（画像データ等）や、患者に関する情報などが記憶される。患者に関する情報としては、電子カルテ情報、他の装置により取得された情報などがある。
【００４３】
（データ処理部２００）
データ処理部２００は、眼科検査装置１により取得されたデータの処理と、外部から入力されたデータの処理とを実行する。データ処理部２００は、強度算出部２１０と、強度比算出部２２０と、散乱特性情報取得部２３０とを含む。
【００４４】
（強度算出部２１０）
強度算出部２１０、強度比算出部２２０および散乱特性情報取得部２３０は、散乱測定において動作する。
【００４５】
ここで、散乱測定について説明する。散乱測定では、観察光源１１が用いられ、可視カットフィルタ１４が光路から退避され、絞り４１ａが光路に配置される。観察光源１１から出力された光は、照明絞り１９を介してリング状の断面を有する光（リング光）となり、眼底Ｅｆに照射される。このリング光は少なくとも可視光を含む。このリング光の眼底反射光は、被検眼Ｅ内部の散乱媒体による影響を受けて被検眼Ｅから出射する。この戻り光は、撮影光学系３０の光路を導かれ、ミラー４０に到達する。ミラーは、この戻り光の光路を、イメージセンサ４６に向かう光路（第１の光路）と、イメージセンサ４３に向かう光路（第２の光路）とに分割する。第１の光路を案内される光は、集光レンズ４５を介してイメージセンサ４６に結像される。イメージセンサ４６は、検出された光に基づく電気信号（戻り光検出信号）を制御部１００に入力する。一方、第２の光路を案内される光は、絞り４１ａにより中心部分が抽出され、集光レンズ４２を介してイメージセンサ４３に結像される。イメージセンサ４３は、検出された光に基づく電気信号（中心部分検出信号）を制御部１００に入力する。主制御部１１０は、これら検出信号をデータ処理部２００に送る。
【００４６】
強度算出部２１０は、戻り光（の一部又は全部）の強度と、その中心部分の強度とをそれぞれ算出する。この処理の具体例を説明する。戻り光検出信号には、イメージセンサ４６の複数の受光素子（複数の画素）のそれぞれに対応する検出強度情報（画素値）が含まれている。強度算出部２１０は、これら画素値を積分することにより（つまりこれら画素値を加算することにより）、戻り光の強度を取得する。
【００４７】
この積分演算は、イメージセンサ４６の全ての受光素子にわたって、または、一部の受光素子にわたって実行される。後者の例として、あらかじめ選択された複数の受光素子についてのみ積分演算を行うことができる。その具体例として、眼底Ｅｆに投影されるリング光のサイズ（上記の例では視角７度）に対応する位置に配置されている複数の受光素子を、積分演算の対象とすることができる。他の例として、積分演算の対象となる受光素子を戻り光検出信号に基づいて選択するよう構成することができる。その具体例として、所定の閾値より大きい画素値を有する受光素子を選択して積分演算の対象とすること（つまり「絶対的基準」によって積分演算の対象を選択すること）、或いは、複数の受光素子の画素値に関する統計処理（たとえばヒストグラムの作成、平均値や分散や標準偏差の算出など）を介して積分演算の対象を選択すること（つまり「相対的基準」によって積分演算の対象を選択すること）が可能である。
【００４８】
中心部分の強度の算出は、戻り光の強度の算出と同様に実行される。ただし、戻り光の中心部分を検出する光検出器が単一の受光素子からなるものである場合、この受光素子による検出結果がそのまま中心部分の強度となる。よって、この場合には、中心部分の強度を算出する処理を実行する必要はない。
【００４９】
（強度比算出部２２０）
強度比算出部２２０は、強度算出部２１０により取得された戻り光の強度および中心部分の強度の比を算出する。この処理は、たとえば、中心部分の強度の値を戻り光の強度の値で除算する処理を含む。
【００５０】
（散乱特性情報取得部２３０）
散乱特性情報取得部２３０は、強度比算出部２２０により算出された強度比に基づいて、被検眼Ｅの散乱特性を表す情報（散乱特性情報）を求める。なお、戻り光検出信号および／または中心部分検出信号に基づいて散乱特性情報を求めることや、強度算出部２１０により算出される強度に基づいて散乱特性情報を求めることも可能である。
【００５１】
散乱特性情報の例を説明する。第１の例は、散乱の度合の判定結果である。散乱特性情報取得部２３０は、強度比算出部２２０により取得された強度比の値を標準値と比較する。この標準値は、たとえば、臨床データに基づいて取得された正常値の範囲または異常値の範囲である。医師は、被検眼Ｅの散乱特性を診断するために、標準値との比較結果を参照することができる。
【００５２】
散乱特性情報の第２の例は、被検眼Ｅの散乱特性の時系列変化である。記憶部１５０には、過去に実施された被検眼Ｅの散乱測定の結果が記憶されている。散乱特性情報取得部２３０は、過去の散乱特性（強度比等）と、新たに取得された散乱特性（強度比等）とに基づいて、散乱特性の時系列変化を示す情報を求める。この情報の例として、複数の測定値をプロットしたグラフ、測定値の変化のトレンドを示すグラフ、過去の測定結果に対する今回の測定結果の増減および／または変化量、関連する疾患名のリストなどがある。
【００５３】
（ユーザインターフェイス３００）
ユーザインターフェイス３００は、表示部３１０と操作部３２０とを含む。表示部３１０は、表示制御部１２０による制御の下に各種情報を表示する。表示部３１０は、たとえばＬＣＤ等の表示デバイスを含む。操作部３２０は、操作指示や情報入力に用いられる。操作部３２０は、撮影トリガボタンや各種スイッチ等のハードウェアを含んで構成される。操作部３２０を用いた操作がなされると、その操作内容に応じた電気信号（操作信号）が操作部３２０から主制御部１１０に入力される。主制御部１１０は、この操作信号に基づいてその操作内容に応じた動作を眼科検査装置１に実行させる。
【００５４】
表示部３１０はタッチパネルディスプレイであってもよい。この場合、操作部３２０は、このタッチパネルディスプレイとコンピュータプログラムとを含む。操作部３２０に対する操作内容は、電気信号として主制御部１１０に入力される。また、グラフィックユーザインターフェイス（ＧＵＩ）を用いて、操作や情報入力を行うようにしてもよい。つまり、表示部３１０と操作部３２０は一体的に構成されていてよい。
【００５５】
［作用・効果］
実施形態に係る眼科検査装置の作用および効果について説明する。
【００５６】
眼科検査装置は、被検眼の眼底にリング光を投影する投影光学系を有する。この実施形態において、投影光学系は、照明光学系１０の一部、特に、少なくとも可視光を含む光を出力する光源（照明光源１１）と、リング状透光部（１９ａ）を有する照明絞り（１９）とを含み、この光源から出力されてリング状透光部を通過した光をリング光として眼底に投影する。
【００５７】
また、眼科検査装置は、このリング光の被検眼からの戻り光を検出する第１の検出部と、戻り光の中心部分を検出する第２の検出部とを有する。この実施形態において、第１の検出部は、イメージセンサ４６またはそれに代えて配置される光検出器を含み、第２の検出部は、イメージセンサ４３またはそれに代えて配置される光検出器を含む。
【００５８】
さらに、眼科検査装置は、第１の検出部により検出された戻り光のリング状部分の少なくとも一部の強度と、第２の検出部により検出された戻り光の中心部分の強度との比を算出する算出部を有する。この実施形態において、算出部は、強度算出部２１０と、強度比算出部２２０とを含む。
【００５９】
すなわち、この実施形態の算出部は、第１の検出部からの出力信号を積分して第１の強度を求める処理を少なくとも実行する。この演算処理は、第１の光検出器に設けられた受光素子群のうちあらかじめ決められた複数の受光素子からの出力信号を積分する処理を含む。この複数の受光素子は、第１の光検出器に設けられた全ての受光素子でもよいし、リング状部分に相当する一部の受光素子でもよい。図５Ａに示すように、第１の光検出器として２次元光検出器が用いられる場合、リング状部分ＲＬは、２次元光検出器（イメージセンサ）４６の受光素子４６ｉｊ（ｉ＝１〜ｍ、ｊ＝１〜ｎ）の一部により検出される。この一部以外の受光素子４６ｉｊは、被検眼Ｅによる微弱な散乱光を検出するか、或いは何も検出しない。算出部は、たとえば、次のいずれかの処理を実行する：（１）イメージセンサ４６の全ての受光素子４６ｉｊからの出力信号を積分する：（２）リング状部分ＲＬを検出した全ての受光素子４６ｉｊからの出力信号を積分する；（３）たとえば図５Ｂに示す塗りつぶされた受光素子群（画素群）４６ａのように、リング状部分ＲＬを検出した受光素子４６ｉｊの一部からの出力信号を積分する。処理（１）の場合、リング状部分ＲＬの強度と散乱光の強度との和が、第１の強度として取得される。処理（２）の場合、リング状部分ＲＬの強度が第１の強度として取得される。処理（３）の場合、リング状部分ＲＬの一部の強度が第１の強度として取得される。この場合、算出部は、この一部の強度からリング状部分ＲＬ全体の強度を推定する処理を行ってよい。この推定処理は、たとえば、処理（２）の対象となる受光素子の個数を処理（３）の対象となる受光素子の個数で除算して得られる商に基づいて実行される。たとえば図５Ｂに例示する受光素子群４６ａは、リング状部分ＲＬを検出する全ての受光素子の４分の１であり、上記の商は４となる。
【００６０】
この実施形態の算出部は、第２の検出部からの出力信号を積分して第２の強度を求める処理を実行するよう構成されていてよい。なお、第２の検出部が単一の受光素子からなる場合や、第２の検出部に設けられた複数の受光素子のうち１つの受光素子からの出力信号のみを考慮する場合には、積分演算を行う必要はない。
【００６１】
このように、実施形態に係る眼科検査装置は、眼底に投影されたリング光の戻り光のリング状部分と中心部分とを検出し、それらの強度比を算出する。一方、非特許文献２に開示された他覚的手法では、ディスク状の光を眼底に投影し、そのサイズを変化させながら戻り光の中心領域の強度を逐次に検出することにより点像分布関数（ＰＳＦ）を求めており、被検者に不快感を与える問題や、コンピュータのリソースに関する問題を生じるおそれがある。これに対し、実施形態に係る眼科検査装置では、眼底にリング光を投影する構成を採用しているので、被検者が感じる眩しさの程度は従来の手法よりも小さく、従来のような画像処理を施すためのリソースも不要である。また、実施形態に係る眼科検査装置は、非特許文献１に開示された手法のように点滅するリング光を提示する構成ではないため、汎用性にも優れている。したがって、実施形態に係る眼科検査装置によれば、従来のような悪影響を被検者に与えることなく被検眼の散乱特性を他覚的に測定することが可能である。
【００６２】
なお、実施形態に係る散乱測定は、自覚的手法を開示する非特許文献１のＦｉｇｕｒｅ  １に示す視覚とＰＳＦとの関係と、他覚的手法を開示する非特許文献２の式（５）に示す関係とを利用するものであるが、これら関係を単に組み合わせたものではない。具体的に説明すると、本発明者は、ＰＳＦを取得するにはリング状部分と中心部分を検出すれば十分であることや、リング光（つまりリング状部分）の好適なサイズが視覚７度程度であることなどの知見を獲得し、さらに、この知見に基づく散乱測定を行うための構成を具現化したものである。
【００６３】
実施形態に係る眼科検査装置において、照明絞りのリング状透光部のサイズを変更できるように構成することが可能である。上記のように、リング光の好適なサイズは視覚７度程度であるが、この値は被検者の属性（年齢等）や被検眼の状態（散乱媒体の分布等）に応じて異なる可能性がある。このような事情を考慮し、リング状透光部のサイズを可変にすることができる。その場合において、リング状透光部のサイズを自動で変更するよう構成することが可能である。たとえば、被検者の属性とサイズとが関連付けられた関連情報をあらかじめ記憶する手段と、被検者の属性の入力を受け付ける手段と、入力された属性に対応するサイズを関連情報に基づき特定する手段と、特定されたサイズに基づいて照明絞りを制御する手段とを、眼科検査装置に設けることができる。他の例として、第１の検出部によるリング光の戻り光の検出結果に基づいてリング状部分が投影されている受光素子を特定する手段と、特定された受光素子とあらかじめ決められた受光素子（リング状部分が投影されるべき受光素子）とに基づいてリング状透光部のサイズの変化量を決定する手段と、決定された変化量に基づいて照明絞りを制御する手段とを、眼科検査装置に設けることができる。
【００６４】
また、リング状透光部のサイズが可変な場合において、実施形態に係る散乱測定をリング状透光部のサイズを変更しつつ複数回実行するよう構成することが可能である。このとき、たとえば視角１〜１０度の範囲の少なくとも一部にわたり、かつ、任意の間隔で、リング状透光部のサイズを変更することができる。このような散乱測定によれば、複数の異なる視角に応じた被検眼の散乱状態を把握することが可能である。
【００６５】
実施形態に係る眼科検査装置において、被検眼の散乱測定と眼底の赤外観察とを並行して行えるよう構成することが可能である。一例として、次の構成を適用することができる。まず、光源（観察光源１１）は、可視光および赤外光を含む連続光を出力するよう構成される。照明絞り（１９）は、リング状透光部（１９ａ）が可視光および赤外光を通過させ、かつ、リング状透光部以外の部分（１９ｂ）のうち少なくとも一部が赤外光のみを通過させるように構成される。さらに、本例の眼科検査装置は、照明絞りを通過した光の被検眼からの戻り光の赤外成分を繰り返し検出する第３の光検出器（イメージセンサ３７）と、第３の光検出器からの出力信号に基づく眼底の動画像を表示手段（表示部３１０）に表示させる表示制御部（１２０）とを備える。このような構成によれば、眼底をリアルタイムで観察しつつ散乱測定を行うことができる。なお、表示手段は、眼科検査装置に搭載されていてもよいし、その外部に設けられたディスプレイであってもよい。また、この実施形態においては、本例に係る構成を実現するために、連続光の戻り光の赤外成分と可視成分とを分割するダイクロイックミラー（３２）が設けられており、さらに、第１の検出部および第２の検出部は可視成分の光路に配置され、第３の光検出器は赤外成分の光路に配置されている。
【００６６】
実施形態に係る眼科検査装置は、算出部により算出された強度比に基づいて、被検眼の散乱特性を表す情報を求める手段（第１の情報取得部）を備えていてよい。この実施形態においては、散乱特性情報取得部２３０が第１の情報取得部として機能する。本例によれば、算出部により得られた強度比に基づいて医師や患者にとって有用な情報を取得することができる。なお、第１の情報取得部により取得された情報は、任意の形態で出力される。その出力形態としては、表示、印刷、記憶などがある。
【００６７】
〈第２の実施形態〉
第１の実施形態では、第１の検出部の光検出器と第２の検出部の光検出器とが異なる構成について説明した。第２の実施形態では、第１の検出部と第２の検出部とが共通の光検出器を有する場合について説明する。本構成は、眼底に投影されたリング光の戻り光のリング状部分と中心部分とを同時に検出する構成と、異なるタイミングで検出する構成とに分類される。なお、第１の実施形態において開示された任意の事項をこの実施形態に適用することが可能である。
【００６８】
（同時に検出する場合）
まず、眼底に投影されたリング光の戻り光のリング状部分と中心部分とを同時に検出する場合について説明する。本例に係る眼科検査装置の光学系の構成例を図６に示す。図６に示す眼科検査装置１０００は、第１の実施形態の眼科検査装置１（図１を参照）からミラー４０、光学フィルタ部４１、集光レンズ４２およびイメージセンサ４３を除外したものである。制御系の構成は、第１の実施形態と同様であってよい（図２を参照）。以下、第１の実施形態で用いられた符号を準用する。
【００６９】
照明光学系１０は、眼底Ｅｆにリング光を投影する。このリング光の眼底反射光は、被検眼Ｅ内の散乱媒体の影響を受けた後に被検眼Ｅから出射する。この戻り光は、撮影光学系３０によりイメージセンサ４６に案内される。イメージセンサ４６は、戻り光の検出結果である信号を制御部１００に送る。主制御部１１０は、イメージセンサ４６から入力された信号を強度算出部２１０に送る。
【００７０】
強度算出部２１０は、主制御部１１０から入力された信号のうち、リング状部分に相当する受光素子（画素）に対応する信号を積分する。それにより、リング状部分の強度が得られる。なお、第１の実施形態と同様に、この積分演算の対象となる受光素子は、リング状部分を検出した受光素子の少なくとも一部を含んでいればよい。
【００７１】
また、強度算出部２１０は、主制御部１１０から入力された信号のうち、中心部分に相当する受光素子（画素）に対応する信号の強度を求める。対象となる受光素子が複数である場合、この処理は積分演算を含む。
【００７２】
強度比算出部２２０は、強度算出部２１０により取得されたリング状部分の強度および中心部分の強度の比を算出する。この処理は、たとえば、中心部分の強度の値をリング状部分の強度の値で除算する処理を含む。
【００７３】
散乱特性情報取得部２３０が設けられている場合、強度比算出部２２０により算出された強度比に基づいて、被検眼Ｅの散乱特性を表す情報（散乱特性情報）が生成される。
【００７４】
このような眼科検査装置１０００によれば、第１の実施形態よりも簡易な構成の光学系を用いて散乱測定を行うことが可能である。
【００７５】
（異なるタイミングで検出する場合）
続いて、眼底に投影されたリング光の戻り光のリング状部分と中心部分とを異なるタイミングで検出する場合について説明する。本例に係る眼科検査装置は、たとえば、同時検出の場合と同様の光学系を有し（図６を参照）、かつ、図７に示す制御系を有する。図７に示す制御系は、第１の実施形態の眼科検査装置１（図２を参照）の制御部１００に検出制御部１３０を追加したものである。
【００７６】
検出制御部１３０は、イメージセンサ４６による戻り光の検出とその中心部分の検出とを異なるタイミングで実行させるように光学系を制御する。その制御例については後述する。なお、戻り光の検出と中心部分の検出のどちらを先に行ってもよい。また、これら検出の間の時間差は任意であってよい。以下、戻り光の検出を行った直後に中心部分の検出を行うように制御が行われる場合を例示する。
【００７７】
まず、検出制御部１３０は、照明光学系１０を制御して、眼底Ｅｆへのリング光の投影を開始する。このリング光は連続光である。なお、２段階の検出において個別にリング光を投影するようにしてもよい。被検眼Ｅから出射したリング光の戻り光は、撮影光学系３０によりイメージセンサ４６に案内される。イメージセンサ４６には戻り光が連続的に投影されている。イメージセンサ４６は、所定の検出レートで制御部１００に信号を出力する。主制御部１１０は、イメージセンサ４６から所定の時間間隔で入力される信号を強度算出部２１０に送る。この転送処理は先入れ先出し法（ＦＩＦＯ）である。また、この転送処理は、イメージセンサ４６から入力された全ての信号を送る方式である必要はない。たとえば、イメージセンサ４６の検出レートと強度比算出部２１０の処理レートとに基づいて、イメージセンサ４６から入力された信号を間引きしてもよい。また、本例は２段階の処理であるから、強度比算出部２１０に信号を送る回数は２回でよい。
【００７８】
強度算出部２１０は、主制御部１１０から第１のタイミングで入力された信号のうち、リング状部分の少なくとも一部に相当する受光素子（画素）に対応する信号を積分する。それにより、リング状部分の一部または全部についての強度が得られる。
【００７９】
さらに、強度算出部２１０は、第１のタイミングより後の第２のタイミングで主制御部１１０から入力された信号のうち、中心部分に相当する受光素子（画素）に対応する信号の強度を求める。対象となる受光素子が複数である場合、この処理は積分演算を含む。
【００８０】
強度比算出部２２０は、強度算出部２１０により取得されたリング状部分の強度および中心部分の強度の比を算出する。この処理は、たとえば、中心部分の強度の値をリング状部分の強度の値で除算する処理を含む。
【００８１】
散乱特性情報取得部２３０が設けられている場合、強度比算出部２２０により算出された強度比に基づいて、被検眼Ｅの散乱特性を表す情報（散乱特性情報）が生成される。
【００８２】
このような眼科検査装置１０００によれば、第１の実施形態よりも簡易な構成の光学系を用いて散乱測定を行うことが可能である。
【００８３】
〈第３の実施形態〉
眼底に投影されるリング光の強度に基づいて被検眼の状態や検査の状態を把握する機能を有する実施形態について説明する。この機能は、第１または第２の実施形態に係る眼科検査装置に適用可能である。
【００８４】
この実施形態に係る眼科検査装置は、たとえば、第１または第２の実施形態と同様の光学系と、図８に示す制御系とを有する。以下、第１の実施形態に係る光学系を参照する（図１を参照）。図８に示す制御系は、第１の実施形態の制御系に光強度検知部４００を追加し、かつ、散乱特性情報取得部２３０の代わりに状態情報取得部２４０を設けたものである。なお、この実施形態は散乱特性情報取得部２３０を含んでいてもよい。また、状態情報取得部２４０は第２の情報取得部の例である。
【００８５】
光強度検知部４００は、照明光学系１０により案内される光の強度を検知する。光強度検知部４００の第１の例は、フォトダイオード等の光検出器を含む。この光検出器は、照明光学系１０の任意の位置に設けられる。この光検出器は、たとえば、照明光学系１０の任意の位置に設けられたビームスプリッタ（ハーフミラー等）により照明光学系１０から分岐された光路に配置される。この光検出器は、検出された光の強度を示す信号を制御部１００に送る。
【００８６】
光強度検知部４００の第２の例は、主制御部１１０による観察光源１１の制御に基づき実行される。本例において、主制御部１１０は、観察光源１１に対する印加電力を変更することにより、観察光源１１により出力される光の強度を変更可能に構成される。或いは、主制御部１１０は、照明光学系１０の光路に減光フィルタを配置する制御や、減光フィルタによる減光度合を変更する制御を実行可能に構成される。主制御部１１０は、このような制御を実行したとき、その制御内容を表す信号を光強度検知部４００に送る。光強度検知部４００は、主制御部１１０から入力された信号に基づいて、照明光学系１０により案内される光の強度を求める。この処理は、たとえば、制御内容と光強度とが関連付けられた既定の情報を参照することにより、主制御部１１０による制御内容に対応する光強度を特定することにより実行される。
【００８７】
光強度検知部４００により検知された光の強度を表す情報は、制御部１００を介して状態情報取得部２４０に送られる。状態情報取得部２４０は、光強度検知部４００により検知された光の強度と、戻り光の検出結果とに基づいて、被検眼Ｅの状態を表す情報および／または検査の状態を表す情報を求める。なお、戻り光の検出結果には、イメージセンサ４３からの出力信号、イメージセンサ４６からの出力信号、強度算出部２１０により算出されたリング状部分および／または中心部分の強度、強度比算出部２２０により算出された強度比などがある。
【００８８】
被検眼Ｅの状態を表す情報の例として、被検眼Ｅの混濁（角膜、水晶体および硝子体の混濁）の有無または程度がある。混濁の有無は、たとえば、リング状部分の強度（積分値）と検知された光強度との比または差を算出し、この算出値を閾値と比較することにより判定される。また、混濁の程度は、たとえば、同様の算出値を既定のスケール（算出値と混濁の程度とが関連付けられた情報）と比較することにより判定される。
【００８９】
検査の状態を表す情報の例として、被検眼Ｅに投影されるリング光またはその戻り光の蹴られの有無または程度がある。蹴られの有無は、たとえば、リング状部分の形状（欠損の有無）または強度（積分値）により判定される。蹴られの程度は、リング状部分の欠損の度合または強度（積分値）により判定される。
【００９０】
この実施形態によれば、医師や患者にとって有用な情報を取得することができる。なお、状態情報取得部２４０（第２の情報取得部）により取得された情報は、任意の形態で出力される。その出力形態としては、表示、印刷、記憶などがある。
【００９１】
この発明に係る眼科検査装置は、上記の実施形態として開示されたものには限定されない。この発明を実施しようとする者は、この発明の要旨の範囲内において任意の変形（省略、変更、置換等）を施すことが可能である。
【符号の説明】
【００９２】
１、１０００  眼科検査装置
１０  照明光学系
１１  観察光源
１９  照明絞り
１９ａ  リング状透光部
１９Ａ  照明絞り駆動部
２３、３４、４１  光学フィルタ部
２３Ａ、３４Ａ、４１Ａ  フィルタ駆動部
３０  撮影光学系
３７、４３、４６  イメージセンサ
４１ａ  絞り
１００  制御部
１１０  主制御部
１２０  表示制御部
１３０  検出制御部
２００  データ処理部
２１０  強度算出部
２２０  強度比算出部
２３０  散乱特性情報取得部
２４０  状態情報取得部
３００  ユーザインターフェイス
３１０  表示部
３２０  操作部
４００  光強度検知部
Ｅ  被検眼
Ｅｆ  眼底
【図１】
2015150283.tif 000003
【図２】
2015150283.tif 000004
【図３】
2015150283.tif 000005
【図４】
2015150283.tif 000006
【図５Ａ】
2015150283.tif 000007
【図６】
2015150283.tif 000008
【図７】
2015150283.tif 000009
【図８】
2015150283.tif 000010
【図５Ｂ】
2015150283.tif 000011